(57)【要約】      （修正有）【課題】包装箱において、破れにくい手掛け穴を形成すること。【解決手段】手掛け穴形成部１００を設けた包装箱であって、第１の切目線１０１と左側の第２の切目線１０２Ｌと左側の折返し可能部１０３Ｌによって囲まれる左側の折返し片１０４Ｌと、第１の切目線１０１と右側の第２の切目線１０２Ｒと右側の折返し可能部１０３Ｒによって囲まれる右側の折返し片１０４Ｒとが、左右の折返し可能部のそれぞれに沿って折返されたとき、左右の折返し片における第１の切目線１０１に対応する側縁部Ｋが天面板１４の内側面に当接され、左右の折返し片の折返しによって形成された空所が手掛け穴Ｈとされるもの。【選択図】図４
2019116284.tif 000002
【特許請求の範囲】
【請求項１】
少なくとも一対の互いに対向する側板と、それらの側板の各上端に交差する天面板とを有し、それらの側板に手掛け穴形成部が設けられている包装箱であって、
手掛け穴形成部が、天面板に近い側から該天面板から遠い側に延びる第１の切目線と、第１の切目線の天面板から遠い側の端部から該第１の切目線に交差して左右の外側に向けて延びる左右の第２の切目線とを有し、第１の切目線の天面板に近い側の端部と左右の第２の切目線の外側の端部との間が折返し可能な左右の折返し可能部になっており、
第１の切目線と左側の第２の切目線と左側の折返し可能部によって囲まれる左側の折返し片と、第１の切目線と右側の第２の切目線と右側の折返し可能部によって囲まれる右側の折返し片とが、左右の折返し可能部のそれぞれに沿って折返されたとき、左右の折返し片における第１の切目線に対応する側縁部が天面板の内側面に当接され、左右の折返し片の折返しによって形成された空所が手掛け穴とされる包装箱。
【請求項２】
前記第１の切目線の天面板に近い側の端部が該天面板の近傍に位置する請求項１に記載の包装箱。
【請求項３】
前記第１の切目線と左右の各折返し可能部とが交差角４５度をなして交差する請求項１又は２に記載の包装箱。
【請求項４】
前記左右の折返し片を構成する段ボール紙の段目が、左右の折返し可能部に沿って折返される前段階で、天面板の板面に沿う方向に設定されている請求項１乃至３のいずれかに記載の包装箱。
【請求項５】
前記左右の折返し可能部に折返し予定線が付されている請求項１乃至４のいずれかに記載の包装箱。
【発明の詳細な説明】
【技術分野】
【０００１】
本発明は包装箱に関する。
【背景技術】
【０００２】
従来の包装箱として、特許文献１に記載の如く、少なくとも一対の互いに対向する側板と、それらの側板の各上端に交差する天面板とを有し、それらの側板に、折曲げ予定線と第１切込み線とを含む手掛け穴形成部を設けているものがある。使用者が手掛け穴形成部を包装箱の内部に向けて押込むと、第１切込み線において側板の本体から分離される折曲げ片が、折曲げ予定線で舌片状に折れ曲がって包装箱の内側に入り込み、手掛け穴が形成される。
【０００３】
特許文献１に記載の包装箱は、更に、手掛け穴形成部と天面板との間に第２切込み線を設けている。これにより、手掛け穴形成部を包装箱の内部に向けて押込むことで手掛け穴が形成された後、大きな持上げ荷重が手掛け穴に加えられることにより、手掛け穴の上端の左右から包装箱の上縁に向って破れ、当初の手掛け穴が上方に拡大された二次手掛け穴に代わっても、破れ目の伸展を第２切込み線と破れ目とが出会う邂逅位置で止めることができる。
【先行技術文献】
【特許文献】
【０００４】
【特許文献１】特開2013-241216号公報
【発明の概要】
【発明が解決しようとする課題】
【０００５】
特許文献１に記載の包装箱には以下の問題点がある。
(1)手掛け穴形成部を押込んで形成される当初の手掛け穴が破れたときの対策案であるに過ぎず、当初の手掛け穴自体を破れにくくするものではない。
【０００６】
(2) 当初の手掛け穴が包装箱の持ち上げ荷重に対応する大きな力を受けて破れたとき、その荷重の過大さによっては、その破れ目の伸展を第２切込み線の存在によって必ずしも止めることはできない。
【０００７】
(3)ラップラウンド式段ボール箱において、段ボール紙の使用量を減らすため、左右の側板に連設されている左右のフラップ状側板と、天面板と底板のそれぞれに連設されている上下のフラップ状側板の各フラップ長さを短くし、上下のフラップ状側板の中央部の裏側に左右のフラップ状側板の重なりがなくなり、１枚の上フラップ状側板にのみ手掛け穴形成部が設けられるときには、手掛け穴の破れ易さが顕著になる。
【０００８】
手掛け穴が破れた包装箱にあっては、使用者が手掛け穴に挿入した手で包装箱を安定的に持ち上げて運ぶことができないし、包装箱が外観不良になり、その収納物品の商品価値も損なう。
【０００９】
本発明の課題は、包装箱において、破れにくい手掛け穴を形成することにある。
【課題を解決するための手段】
【００１０】
請求項１に係る発明は、少なくとも一対の互いに対向する側板と、それらの側板の各上端に交差する天面板とを有し、それらの側板に手掛け穴形成部が設けられている包装箱であって、手掛け穴形成部が、天面板に近い側から該天面板から遠い側に延びる第１の切目線と、第１の切目線の天面板から遠い側の端部から該第１の切目線に交差して左右の外側に向けて延びる左右の第２の切目線とを有し、第１の切目線の天面板に近い側の端部と左右の第２の切目線の外側の端部との間が折返し可能な左右の折返し可能部になっており、第１の切目線と左側の第２の切目線と左側の折返し可能部によって囲まれる左側の折返し片と、第１の切目線と右側の第２の切目線と右側の折返し可能部によって囲まれる右側の折返し片とが、左右の折返し可能部のそれぞれに沿って折返されたとき、左右の折返し片における第１の切目線に対応する側縁部が天面板の内側面に当接され、左右の折返し片の折返しによって形成された空所が手掛け穴とされるようにしたものである。
【発明の効果】
【００１１】
本発明によれば、包装箱において、破れにくい手掛け穴を形成することができる。
【図面の簡単な説明】
【００１２】
【図１】図１は手掛け穴形成部を設けたラップラウンド式段ボール箱からなる包装箱を示し、（Ａ）は左右の折返し片が折返し前段階にある状態を示す斜視図、（Ｂ）は左右の折返し片が折返し後段階にある状態を示す斜視図である。
【図２】図２はラップラウンド式段ボール箱からなる包装箱の開封状態を示す斜視図である。
【図３】図３はラップラウンド式段ボール箱のブランクを示す展開図である
【図４】図４は実施例１の手掛け穴形成部を示し、（Ａ）は折返し前段階を示す模式図、（Ｂ）は折返し後段階を示す模式図、（Ｃ）は手掛け使用段階を示す模式図である。
【図５】図５は手掛け穴形成部を設けたＡ−１式段ボール箱からなる包装箱を示し、（Ａ）は左右の折返し片が折返し前段階にある状態を示す斜視図、（Ｂ）は左右の折返し片が折返し後段階にある状態を示す斜視図である。
【図６】図６はＡ−１式段ボール箱からなる包装箱の開封状態を示す斜視図である。
【図７】図７はＡ−１式段ボール箱のブランクを示す展開図である
【図８】図８は実施例２の手掛け穴形成部を示し、（Ａ）は折返し前段階を示す模式図、（Ｂ）は折返し後段階を示す模式図である。
【図９】図９は実施例３の手掛け穴形成部を示し、（Ａ）は折返し前段階を示す模式図、（Ｂ）は折返し後段階を示す模式図である。
【発明を実施するための形態】
【００１３】
（実施例１）（図１乃至図７）
図１、図２は、実施例１の手掛け穴形成部１００が適用された包装箱１０を示し、包装箱１０は多数のペットボトル等の物品を包装して保管及び運搬する等に使用される。尚、本明細書では、組立てられた包装箱１０において、底板１２の側を「下」、天面板１４の側を「上」、一方の側板１１の側を「左」、他方の側板１３の側を「右」というものとする。
【００１４】
図１、図２に示した包装箱１０は、ラップラウンド式段ボール箱からなるものであり、図３に示す如くのブランクから製作される。
【００１５】
包装箱１０の図３に示したブランクは、一方の側板１１、底板１２、他方の側板１３、天面板１４が順に連設され、側板１１の外側には糊代片１５が連設されて構成される。各側板１１、１３の両端には左右のフラップ状側板１６、１６が連設され、天面板１４の両端には上部フラップ状側板１７が連設され、底板１２の両端には下部フラップ状側板１８が連設されている。
【００１６】
尚、本実施例の包装箱１０では、左右のフラップ状側板１６、１６と、上下のフラップ状側板１７、１８の各フラップ長さが短くされていて、上下のフラップ状側板１７、１８の中央部の裏側に左右のフラップ状側板１６、１６の重なりがない。
【００１７】
上記ブランクを組立てて、ペットボトル等の物品を包装するときには、底板１２に物品を載せ、側板１１、１３、天面板１４を折り曲げて物品を包み込み、天面板１４の側縁部内側面を糊代片１５に貼り合わせ、左右のフラップ状側板１６を各側板１１、１３に対して折り曲げるとともに、上下のフラップ状側板１７、１８を天面板１４、底板１２に対して折り曲げ、上下のフラップ状側板１７、１８の内側面を左右のフラップ状側板１６、１６に貼り合わせることにより、中身入りの包装箱１０が組立てられて完成する。
【００１８】
即ち、包装箱１０は、一対の互いに対向する上部フラップ状側板１７、１７と、それらの上部フラップ状側板１７、１７の各上端に交差する天面板１４とを有する。そして、それらの一対の各上部フラップ状側板１７における天面板１４との境界線（天面板１４と上部フラップ状側板１７との折曲げ線）Ｒに近接する位置には、使用者のために一対の手掛け穴Ｈを形成するための一対の手掛け穴形成部１００が設けられている（図４）。尚、図４（Ａ）乃至（Ｃ）は、上部フラップ状側板１７を包装箱１０の内部から視た状態を示している。
【００１９】
手掛け穴形成部１００は、図４（Ａ）に示す如く、上部フラップ状側板１７（以下、単に側板１７という）の板面内で、天面板１４に近い側の上端部Ａから該天面板１４から遠い側に向けて下向き直線状に延びる第１の切目線１０１と、第１の切目線１０１の天面板１４から遠い側の下端部Ｂから該第１の切目線１０１に直交して左右の外側に向けて直線状に延びる左右の第２の切目線１０２Ｌ、１０２Ｒとを有する。ここで、第１の切目線１０１、第２の切目線１０２Ｌ、１０２Ｒは、それらの全長に渡って側板１７の板厚を貫通する切断線にて構成されている。但し、それらの切目線１０１、１０２Ｌ、１０２Ｒは、手掛け穴Ｈの形成部に使用者の押込み力を受ける等によって切断できるものであれば良く、それらの長さ方向で間欠的に側板１７の板厚を貫通するミシン目線であっても良いし、板厚を貫通することのない半切線等であっても良い。
【００２０】
また、手掛け穴形成部１００は、第１の切目線１０１の天面板１４に近い側の上端部Ａと、左右の第２の切目線１０２Ｌ、１０２Ｒの外側の端部Ｃ、Ｃとの間が、折返し可能な左右の折返し可能部１０３Ｌ、１０３Ｒになっている。ここで、左右の折返し可能部１０３Ｌ、１０３Ｒは、直線状のプレスを掛けられて折曲げ容易とされた罫線、ミシン目線、ハーフカット線等からなる折返し予定線Ｊを付与されて形成されている。但し、左右の折返し可能部１０３Ｌ、１０３Ｒは、折返し可能なものであれば良く、側板１７の他の部位に比して折曲げ容易とされるような予備加工を予め付与されることを必須としない。例えば、折返し可能部に印刷等で折返し位置を明示する線を表示しても良い。
【００２１】
そして、手掛け穴形成部１００は、図４（Ｂ）に示す如く、第１の切目線１０１と左側の第２の切目線１０２Ｌと左側の折返し可能部１０３Ｌとによって囲まれる三角形状の左側の折返し片１０４Ｌと、第１の切目線１０１と右側の第２の切目線１０２Ｒと右側の折返し可能部１０３Ｒとによって囲まれる三角形状の右側の折返し片１０４Ｒとが、左右の折返し可能部１０３Ｌ、１０３Ｒのそれぞれに沿って１８０度折曲げられ、側板１７の内側面に重なるように折返されたとき、左右の折返し片１０４Ｌ、１０４Ｒにおける第１の切目線１０１に対応する側縁部Ｋが天面板１４の内側面に突き当たるように当接されるとともに、左右の折返し片１０４Ｌ、１０４Ｒの折返しによって側板１７の板面内に形成される二等辺三角形状の空所が手掛け穴Ｈとされる。
【００２２】
尚、手掛け穴形成部１００において、第１の切目線１０１の天面板１４に近い側の上端部Ａは、図４（Ａ）に示す如く、該天面板１４の近傍（天面板１４と側板１７との折曲げ線Ｒの近傍）に位置するように設定されている。
【００２３】
また、手掛け穴形成部１００において、第１の切目線１０１、第２の切目線１０２Ｌ、１０２Ｒと左右の折返し可能部１０３Ｌ、１０３Ｒとは、一定の交差角をなして交差するように設定される。この交差角の好ましい範囲は、２０度乃至５０度であり、更に好ましい範囲は４２度乃至４８度である。本実施例では、この交差角が図４（Ａ）に示す如く、４５度に設定され、第１の切目線１０１の長さと、第２の切目線１０２Ｌ、１０２Ｒの長さを同等にしている。また、本実施例によれば、左右の折返し片１０４Ｌ、１０４Ｒにおける第１の切目線１０１に対応する側縁部Ｋがその全長に渡って天面板１４の内側面に当接することになって優れる。
【００２４】
また、手掛け穴形成部１００において、左右の折返し片１０４Ｌ、１０４Ｒを構成する段ボール紙の段目Ｆは、左右の折返し可能部１０３Ｌ、１０３Ｒに沿って折返される前段階（図４（Ａ））で、天面板１４の板面に沿う方向に設定されている。これにより、左右の折返し片１０４Ｌ、１０４Ｒは、折返されて天面板１４の内側面に当接するに至ったとき（図４（Ｂ））、その段目Ｆが天面板１４の板面に直交する方向に設定されるものになる。
【００２５】
尚、段目とは、段ボール紙を構成する波板状の中芯の山部又は谷部に沿った向きを指し、ラップラウンド式段ボール箱の側板１７における段目Ｆの方向は一般的に天面板１４の板面に沿う方向に略一致している。
【００２６】
以下、包装箱１０における手掛け穴形成部１００の使用方法について説明する。
使用者が、図１（Ａ）に示した包装箱１０における一対の側板１７、１７のそれぞれに設けた手掛け穴形成部１００のそれぞれに対し、左右の折返し片１０４Ｌ、１０４Ｒを包装箱１０の内部に向けて押込むと、各折返し片１０４Ｌ、１０４Ｒは図１（Ｂ）、図２、図４（Ｂ）に示す如くに左右の折返し可能部１０３Ｌ、１０３Ｒに沿って折返され、側板１７の板面内に二等辺三角形状の手掛け穴Ｈが形成される。これによって折返された各折返し片１０４Ｌ、１０４Ｒは天面板１４の内側面に当接する。
【００２７】
使用者は、包装箱１０における一対の側板１７のそれぞれに形成された手掛け穴Ｈに左右の手指を挿入し、図４（Ｃ）に示す如く、左右の折返し可能部１０３Ｌ、１０３Ｒに沿う各折返し片１０４Ｌ、１０４Ｒの折返し部に対応して形成される左右の手掛け部１０５Ｌ、１０５Ｒにその手指を掛ける状態で、物品を包装した包装箱１０を持ち上げ、運ぶことができる。
【００２８】
しかるに、本実施例の手掛け穴形成部１００が設けられた包装箱１０によれば以下の作用効果を奏する。
【００２９】
(a)手掛け穴形成部１００において、左側の折返し片１０４Ｌの側で第１の切目線１０１の天面板１４に近い側の上端部Ａと左側の第２の切目線１０２Ｌの外側の端部Ｂとの間に設けられる左側の折返し可能部１０３Ｌは、天面板１４の板面に斜交しており、手掛け穴Ｈが形成されたときに挿入される使用者の手指に対する左側の手掛け部１０５Ｌになる。また、右側の折返し片１０４Ｒの側で第１の切目線１０１の天面板１４に近い側の上端部Ａと右側の第２の切目線１０２Ｒの外側の端部Ｂとの間に設けられる右側の折返し可能部１０３Ｒは、天面板１４の板面に斜交しており、手掛け穴Ｈが形成されたときに挿入される使用者の手指に対する右側の手掛け部１０５Ｒになる。これにより、手掛け穴Ｈに挿入した手指で包装箱１０を持ち上げるに必要な全持ち上げ力は、左側の手掛け部１０５Ｌに直交する左斜め上向き成分と、右側の手掛け部１０５Ｒに直交する右斜め上向き成分とに２分され、左右の手掛け部１０５Ｌ、１０５Ｒのそれぞれに作用する力を上述の全持ち上げ力よりも軽減でき、左右の手掛け部１０５Ｌ、１０５Ｒの各両端から生ずるかもしれない側板１７の破れを抑制するものになる。
【００３０】
また、使用者の手指が掛かる左右の手掛け部１０５Ｌ、１０５Ｒは、段ボール紙の切断面を呈するものでなく、丸味を帯びていて手指に与える負担を軽減できる。
【００３１】
(b)上述(a)に加えて、左右の折返し片１０４Ｌ、１０４Ｒが左右の折返し可能部１０３Ｌ、１０３Ｒのそれぞれに沿って折返されたとき、左右の折返し片１０４Ｌ、１０４Ｒにおける第１の切目線１０１に対応する側縁部Ｋは天面板１４の内側面に当接される。これにより、左右の手掛け部１０５Ｌ、１０５Ｒに作用する前述(a)の力は、天面板１４の内側面に当接されて突っ張り状となる左右の折返し片１０４Ｌ、１０４Ｒを介して天面板１４の側に伝えられて確実に支持される。従って、左右の手掛け部１０５Ｌ、１０５Ｒの各両端への力の作用を低減し、左右の手掛け部１０５Ｌ、１０５Ｒの各両端から生ずるかもしれない側板１７の破れを一層抑制するものになる。
【００３２】
(c)手掛け穴形成部１００において、第１の切目線１０１の天面板１４に近い側の上端部Ａが該天面板１４の近傍に位置する。これにより、左右の折返し片１０４Ｌ、１０４Ｒにおける第１の切目線１０１に対応する側縁部Ｋを天面板１４の内側面に確実に当接させ得るものになる。
【００３３】
(d)手掛け穴形成部１００において、第１と第２の切目線１０１、１０２Ｌ、１０２Ｒと左右の各折返し可能部とが交差角４５度をなして交差する。これにより、左右の折返し片１０４Ｌ、１０４Ｒにおける第１の切目線１０１に対応する側縁部Ｋを天面板１４の内側面に確実に当接させ得るものになる。
【００３４】
(e)手掛け穴形成部１００において、左右の折返し片１０４Ｌ、１０４Ｒを構成する段ボール紙の段目Ｆが、左右の折返し可能部１０３Ｌ、１０３Ｒに沿って折返される前段階で、天面板１４の板面に沿う方向に設定されている。これにより、左右の折返し片１０４Ｌ、１０４Ｒは、折返されて天面板１４の内側面に当接するに至ったとき、その段目Ｆが天面板１４の板面に直交する方向に設定されるものになる。従って、左右の折返し片１０４Ｌ、１０４Ｒは、左右の手掛け部１０５Ｌ、１０５Ｒに作用する前述(a)の力をその段目Ｆに沿う方向で天面板１４の側に安定的に伝えて座屈し難くなり、左右の手掛け部１０５Ｌ、１０５Ｒに作用する力を確実に天面板１４の側に伝えて確実に支持することができる。
【００３５】
(f)手掛け穴形成部１００において、左右の折返し可能部１０３Ｌ、１０３Ｒに折返し予定線Ｊが付されている。これにより、左右に折返し片１０４Ｌ、１０４Ｒを、左右の折返し予定線Ｊからなる折返し可能部のそれぞれに沿って簡易かつ確実に折返しできる。
尚、手掛け穴形成部１００は、包装箱１０の側板１１、１３に設けることもできる。
【００３６】
図５、図６に示した包装箱２０は、Ａ−１式段ボール箱に実施例１と同様の手掛け穴形成部１００を適用したものである。
【００３７】
包装箱２０のブランクは、図７に示す如く、４個の側板２１乃至２４を順に連設され、各側板２１乃至２４の上端に天面板２５が連設され、各側板２１乃至２４の下端に底板２６が連設され、側板２４の外縁に糊代片２７が連設されて構成される。尚、側板２１、２３は側板２２、２４よりも短辺とされている。
【００３８】
上記ブランクから包装箱２０を組立てるときには、各側板２１乃至２４に対して各底板２６を折り曲げるとともに、各側板２１乃至２４同士を折り曲げ、各底板２６同士を貼り合せ、側板２１の内側面を糊代片２７に貼り合せることで、上部が開放された包装箱２０が得られる。次に、包装箱２０の内部にペットボトル等の物品を収納した後、各側板２１乃至２４に対して各天面板２５を折り曲げ、各天面板２５同士を貼り合せることにより、中身入りの包装箱２０が組立てられて完成する。
【００３９】
即ち、包装箱２０は、一対の互いに対向する側板２１、２３と、それらの側板２１、２３の各上端に交差する天面板２５とを有する。そして、それらの一対の各側板２１、２３における天面板２５との境界線（側板２１、２３と天面板２５との折曲げ線）Ｒに近接する位置には、実施例１におけると同様の手掛け穴形成部１００が設けられ、使用者のための一対の手掛け穴Ｈを形成可能にしている。
【００４０】
尚、包装箱２０はＡ−１式段ボール箱からなるため、手掛け穴形成部１００が設けられる側板２１、２３における段目Ｆの方向が一般的に天面板２５の板面に直交する方向に略一致するものになっている。
【００４１】
従って、手掛け穴形成部１００が設けられた包装箱２０によれば、実施例１の包装箱１０において前述した(a)乃至(d)、(f)と同様の作用効果を奏する。
尚、手掛け穴形成部１００は、包装箱２０の側板２２、２４に設けることもできる。
【００４２】
(実施例２)（図８）
実施例２に係る手掛け穴形成部２００は、ラップラウンド式段ボール箱等からなる包装箱１０に適用できる。尚、手掛け穴形成部２００はＡ−１式段ボール箱に適用することもできる。
【００４３】
手掛け穴形成部２００は、包装箱１０における上部フラップ状側板１７(又は包装箱２０における側板２１、２３)(以下、側板１７という)の板面内に、実施例１の手掛け穴形成部１００における第１の切目線１０１、左右の第２の切目線１０２Ｌ、１０２Ｒ、左右の折返し可能部１０３Ｌ、１０３Ｒと同様の第１の切目線２０１、左右の第２の切目線２０２Ｌ、２０２Ｒ、左右の折返し可能部２０３Ｌ、２０３Ｒを形成して有するとともに、左右の付加切目線２０４Ｌ、２０４Ｒを形成して有する。第１の切目線２０１の長さは第２の切目線２０２Ｌ、２０２Ｒの長さよりｅ（図８（Ａ））だけ長く、付加切目線２０４Ｌ、２０４Ｒは第２の切目線２０２Ｌ、２０２Ｒの外側の端部Ｃから天面板１４に近づく側に向けて長さｅだけ上向き直線状に延びる。第１の切目線２０１の天面板１４に近い側の端部Ａと、左右の付加切目線２０４Ｌ、２０４Ｒの天面板１４に近い側の端部Ｄとの間が、折返し可能な左右の折返し可能部２０３Ｌ、２０３Ｒになる。
【００４４】
そして、手掛け穴形成部２００は、第１の切目線２０１と左側の第２の切目線２０２Ｌと左側の折返し可能部２０３Ｌと左側の付加切目線２０４Ｌとによって囲まれる台形状の左側の折返し片２０５Ｌと、第１の切目線２０１と右側の第２の切目線２０２Ｒと右側の折返し可能部２０３Ｒと右側の付加切目線２０４Ｒとによって囲まれる台形状の右側の折返し片２０５Ｒとが、左右の折返し可能部２０３Ｌ、２０３Ｒのそれぞれに沿って１８０度折り曲げられ、側板１７の内側面に重なるように折返されたとき、左右の折返し片２０５Ｌ、２０５Ｒにおける第１の切目線２０１に対応する側縁部Ｋが天面板１４の内側面に突き当たるように当接されるとともに、左右の折返し片２０５Ｌ、２０５Ｒの折返しによって側板１７の板面内に形成される五角形状（前述の第１の切目線２０１の上下の端部Ａ、Ｂを結ぶ直線に関して左右線対称をなす五角形）の空所が手掛け穴Ｈとされる（図８（Ｂ））。
【００４５】
使用者は、包装箱１０における一対の側板１７のそれぞれに形成された手掛け穴Ｈに左右の手指を挿入し、左右の折返し可能部２０３Ｌ、２０３Ｒに沿う各折返し片２０５Ｌ、２０５Ｒの折返し部に対応して形成される左右の手掛け部２０６Ｌ、２０６Ｒにその手指を掛ける状態で、物品を包装した包装箱１０を持ち上げ、運ぶことができる。
【００４６】
尚、手掛け穴形成部２００において、第１の切目線２０１の天面板１４に近い側の上端部Ａは、図８（Ａ）に示す如く、該天面板１４の近傍（天面板１４と側板１７との折曲げ線Ｒの近傍）に位置するように設定されている。
【００４７】
また、手掛け穴形成部２００において、第１の切目線２０１と左右の折返し可能部２０３Ｌ、２０３Ｒとは、図８（Ａ）に示す如く、交差角４５度をなして交差するように設定されている。
【００４８】
また、手掛け穴形成部２００において、左右の折返し片２０５Ｌ、２０５Ｒを構成する段ボール紙の段目Ｆは、左右の折返し可能部２０３Ｌ、２０３Ｒに沿って折返される前段階（図８（Ａ））で、天面板１４の板面に沿う方向に設定されている。これにより、左右の折返し片２０５Ｌ、２０５Ｒは、折返されて天面板１４の内側面に当接するに至ったとき（図８（Ｂ））、その段目Ｆが天面板１４の板面に直交する方向に設定されるものになる。
【００４９】
従って、本実施例の手掛け穴形成部２００が設けられた包装箱１０によれば、第１の切目線２０１を長めに設定し、左右の付加切目線２０４Ｌ、２０４Ｒを手掛け穴形成部２００に備えたことによって、五角形状で大き目の空所からなり、手が入れ易い手掛け穴Ｈを形成して使い勝手を向上できるとともに、実施例１の包装箱１０において前述した(a)乃至(f)と同様の作用効果を奏する。
【００５０】
（実施例３）(図９)
実施例３における手掛け穴形成部３００が実施例２の手掛け穴形成部２００と異なる点は、手掛け穴形成部２００の第１の切目線２０１を波形曲線状の第１の切目線３０１に変更し、手掛け穴形成部２００の左右の折返し片２０５Ｌ、２０５Ｒを波形曲線部をもつ左右の折返し片３０５Ｌ、３０５Ｒに変更したことにある。
【００５１】
手掛け穴形成部３００は、第１の切目線３０１の他、手掛け穴形成部２００における左右の第２の切目線２０２Ｌ、２０２Ｒ、左右の折返し可能部２０３Ｌ、２０３Ｒ、左右の付加切目線２０４Ｌ、２０４Ｒ、左右の手掛け部２０６Ｌ、２０６Ｒを備え、手掛け穴形成部２００におけると同様の五角形状の手掛け穴Ｈを形成可能にする。手掛け穴Ｈを形成するときに折返された各折返し片３０５Ｌ、３０５Ｒの波形曲線部における山部Ｍ(図９（Ｂ)）は天面板１４の内側面に当接するものになる。このとき、各折返し片３０５Ｌ、３０５Ｒの山部Ｍが天面板１４の内側面に食い込むように当接するため、折返された各折返し片３０５Ｌ、３０５Ｒが天面板１４の内側面に対してずれにくくなる
【００５２】
従って、本実施例の手掛け穴形成部３００が設けられた包装箱１０によれば、第１の切目線３０１を波形曲線状とし、折返されて天面板１４の内側面に当接することとなる左右の折返し片３０５Ｌ、３０５Ｒの山部Ｍと天面板１４との接触面圧が大きくなるようにしたため、それらの折返し片３０５Ｌ、３０５Ｒを天面板１４の内側面に対して横滑りすることなく安定的に当接させて使い勝手を向上できるとともに、実施例１の包装箱１０において前述した(a)乃至(f)と同様の作用効果を奏する。
【００５３】
尚、包装箱の素材は段ボール紙に限らず、ボール紙、プラスチック段ボール等であっても良い。
【産業上の利用可能性】
【００５４】
本発明によれば、包装箱において、破れにくい手掛け穴を形成することができる。
【符号の説明】
【００５５】
１０  包装箱
１４  天面板
１７  上部フラップ状側板（側板）
２０  包装箱
２１、２３  側板
２５  天面板
１００、２００  手掛け穴形成部
１０１、２０１、３０１  第１の切目線
１０２Ｌ、１０２Ｒ、２０２Ｌ、２０２Ｒ  第２の切目線
１０３Ｌ、１０３Ｒ、２０３Ｌ、２０３Ｒ  折返し可能部
１０４Ｌ、１０４Ｒ、２０５Ｌ、２０５Ｒ、３０５Ｌ、３０５Ｒ  折返し片
１０５Ｌ、１０５Ｒ、２０６Ｌ、２０６Ｒ  手掛け部
Ｈ  手掛け穴
Ｊ  折返し予定線
Ｋ  側縁部
【図１】
2019116284.tif 000003
【図２】
2019116284.tif 000004
【図３】
2019116284.tif 000005
【図４】
2019116284.tif 000006
【図５】
2019116284.tif 000007
【図６】
2019116284.tif 000008
【図７】
2019116284.tif 000009
【図８】
2019116284.tif 000010
【図９】
2019116284.tif 000011